【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
以下の構造（Ｉ）：
【化１】
2019516821.tif 000001
を有する化合物、またはその立体異性体、塩もしくは互変異性体であって、ここで：
Ｍは、各存在において、独立して、２個またはこれより多くの炭素−炭素二重結合および少なくとも１の共役度を含む部分であり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ2およびＬ3は、各存在において、独立して、選択肢的なアルキレン、アルケニレン、アルキニレン、ヘテロアルキレン、ヘテロアルケニレン、ヘテロアルキニレンもしくはヘテロ原子リンカーであり；
Ｌ4は、各存在において、独立して、長さが３原子より大きいヘテロアルキレン、ヘテロアルケニレンまたはヘテロアルキニレンリンカーであり、ここで該ヘテロアルキレン、ヘテロアルケニレンおよびヘテロアルキニレンリンカー中のヘテロ原子は、Ｏ、ＮおよびＳから選択され；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、Ｑ、もしくはその保護された形態、またはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護された形態を含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍは、各存在において、独立して、０またはこれより大きな整数であるが、ただしｍの少なくとも１個の存在は、１またはこれより大きな整数であり；そして
ｎは、１またはこれより大きな整数である、
化合物、またはその立体異性体、塩もしくは互変異性体。
【請求項２】
Ｌ4は、各存在において、独立して、アルキレンオキシドリンカーである、請求項１に記載の化合物。
【請求項３】
Ｌ4は、ポリエチレンオキシドであり、前記化合物は、以下の構造（ＩＡ）：
【化２】
2019516821.tif 000002
を有し、ここでｚは、２〜１００の整数である、請求項１に記載の化合物。
【請求項４】
ｚは、３〜６の整数である、請求項３に記載の化合物。
【請求項５】
Ｌ1は、以下の構造：
【化３】
2019516821.tif 000003
のうちの１つを有する、請求項１に記載の化合物。
【請求項６】
前記化合物は、以下の構造（ＩＢ）：
【化４】
2019516821.tif 000004
を有し、ここで：
ｘ1、ｘ2、ｘ3およびｘ4は、各存在において、独立して、０〜６の整数であり、そして
ｚは、２〜１００の整数である、
請求項１に記載の化合物。
【請求項７】
ｘ1およびｘ3は、各存在において、各々０であり、ｘ2およびｘ4は、各存在において、各々１である、請求項６に記載の化合物。
【請求項８】
ｘ1、ｘ2、ｘ3およびｘ4は、各存在において、各々１である、請求項６に記載の化合物。
【請求項９】
Ｒ4は、各存在において、独立して、ＯＨ、Ｏ-またはＯＲdであり、Ｒ5は、各存在において、オキソである、請求項１に記載の化合物。
【請求項１０】
Ｒ1は、各存在において、Ｈである、請求項１に記載の化合物。
【請求項１１】
Ｒ2およびＲ3は、各々独立して、−ＯＰ（＝Ｒa）（Ｒb）Ｒcである、請求項１に記載の化合物。
【請求項１２】
Ｒcは、ＯＬ’である、請求項１１に記載の化合物。
【請求項１３】
Ｌ’は、Ｑ、標的化部分、分析物分子、固体支持体、固体支持体残基、ヌクレオシドまたは構造（Ｉ）のさらなる化合物への、ヘテロアルキレンリンカーである、請求項１２に記載の化合物。
【請求項１４】
Ｌ’は、アルキレンオキシドもしくはホスホジエステル部分、またはこれらの組み合わせを含む、請求項１３に記載の化合物。
【請求項１５】
Ｌ’は、以下の構造：
【化５】
2019516821.tif 000005
を有し、ここで：
ｍ”およびｎ”は、独立して、１〜１０の整数であり；
Ｒeは、Ｈ、電子対または対イオンであり；
Ｌ”は、Ｒeもしくは直接結合であるか、またはＱ、標的化部分、分析物分子、固体支持体、固体支持体残基、ヌクレオシドもしくは構造（Ｉ）のさらなる化合物への、連結である、請求項１４に記載の化合物。
【請求項１６】
前記標的化部分は、抗体または細胞表面レセプターアンタゴニストである、請求項１３に記載の化合物。
【請求項１７】
Ｒ2またはＲ3は、以下の構造：
【化６】
2019516821.tif 000006
【化７】
2019516821.tif 000007
のうちの１つを有する、請求項１１に記載の化合物。
【請求項１８】
Ｑは、スルフヒドリル、ジスルフィド、活性化エステル、イソチオシアネート、アジド、アルキン、アルケン、ジエン、ジエノフィル、酸ハライド、スルホニルハライド、ホスフィン、α−ハロアミド、ビオチン、アミノまたはマレイミド官能基を含む、請求項１に記載の化合物。
【請求項１９】
Ｑは、マレイミド官能基を含む、請求項１８に記載の化合物。
【請求項２０】
Ｑは、表１から選択される部分を含む、請求項１に記載の化合物。
【請求項２１】
ｍは、各存在において、独立して、１〜１０の整数である、請求項１に記載の化合物。
【請求項２２】
ｍは、各存在において、独立して、１〜５の整数である、請求項１に記載の化合物。
【請求項２３】
ｎは、１〜１０の整数である、請求項１に記載の化合物。
【請求項２４】
Ｍは、各存在において、独立して、ピレン、ペリレン、ペリレンモノイミドもしくは６−ＦＡＭまたはその誘導体である、請求項１に記載の化合物。
【請求項２５】
Ｍは、各存在において、独立して、以下の構造：
【化８】
2019516821.tif 000008
のうちの１つを有する、請求項１に記載の化合物。
【請求項２６】
表２から選択される化合物である、請求項１に記載の化合物。
【請求項２７】
サンプルを染色するための方法であって、該方法は、該サンプルに、請求項１に記載の化合物を、該サンプルが適切な波長で照射される場合に光学的応答を生じるために十分な量で添加する工程を包含する方法。
【請求項２８】
分析物分子を視覚的に検出するための方法であって、該方法は、
（ａ）Ｒ2またはＲ3は、該分析物分子への共有結合を含むリンカーである請求項１の化合物を提供する工程；および
（ｂ）該化合物をその視覚的特性によって検出する工程、
を包含する方法。
【請求項２９】
分析物分子を視覚的に検出するための方法であって、該方法は、
（ａ）Ｒ2またはＲ3は、ＱまたはＱへの共有結合を含むリンカーである請求項１に記載の化合物と、該分析物分子とを混合する工程；
（ｂ）該化合物および該分析物分子の結合体を形成する工程；ならびに
（ｃ）該結合体をその視覚的特性によって検出する工程、
を包含する方法。
【請求項３０】
分析物を視覚的に検出するための方法であって、該方法は、
（ａ）Ｒ2またはＲ3は、該分析物に対する特異性を有する標的化部分への共有結合を含むリンカーを含む請求項１に記載の化合物を提供する工程；
（ｂ）該化合物および該分析物を混合し、それによって、該標的化部分および該分析物を会合させる工程；ならびに
（ｃ）該化合物をその視覚的特性によって検出する工程、
を包含する方法。
【請求項３１】
請求項１に記載の化合物および１もしくはこれより多くの分析物分子を含む、組成物。
【請求項３２】
以下の構造（ＩＩ）：
【化９】
2019516821.tif 000009
を有する化合物、またはその立体異性体、塩もしくは互変異性体であって、ここで：
Ｇは、各存在において、独立して、相補的反応性基と共有結合を形成できる反応性基またはその保護されたアナログを含む部分であり；
Ｌ1a、Ｌ2およびＬ3は、各存在において、独立して、選択肢的なアルキレン、アルケニレン、アルキニレン、ヘテロアルキレン、ヘテロアルケニレン、ヘテロアルキニレンもしくはヘテロ原子リンカーであり；
Ｌ4は、各存在において、独立して、長さが３原子より大きいヘテロアルキレン、ヘテロアルケニレンまたはヘテロアルキニレンリンカーであり、ここで該ヘテロアルキレン、ヘテロアルケニレンおよびヘテロアルキニレンリンカー中のヘテロ原子は、Ｏ、ＮおよびＳから選択され；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体もしくは相補的反応性基Ｑ′と共有結合を形成できる反応性基またはその保護されたアナログを含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（ＩＩ）のさらなる化合物への共有結合を含むリンカーであり；
ｍは、各存在において、独立して、０またはこれより大きな整数であるが、ただしｍの少なくとも１個の存在は、１またはこれより大きな整数であり；そして
ｎは、１またはこれより大きな整数である、
化合物、またはその立体異性体、塩もしくは互変異性体。
【請求項３３】
分析物分子または標的化部分を標識するための方法であって、該方法は、
（ａ）Ｒ2またはＲ3は、ＱまたはＱへの共有結合を含むリンカーである請求項３２に記載の化合物と、該分析物分子または該標的化部分とを混合する工程；
（ｂ）該化合物および該分析物分子または該標的化部分の結合体を形成する工程；ならびに
（ｃ）該結合体と式Ｍ−Ｌ1b−Ｇ′の化合物とを反応させて、それによって、少なくとも１個のＧおよび少なくとも１個のＧ′の反応によって少なくとも１個の共有結合を形成する工程、
を包含し、ここで：
Ｍは、２個またはこれより多くの炭素−炭素二重結合および少なくとも１の共役度を含む部分であり；
Ｌ1bは、選択肢的なアルキレン、ヘテロアルキレンまたはヘテロ原子リンカーであり；そして
Ｇ′は、Ｇに対する相補的反応性基である、
方法。
【請求項３４】
分析物分子または標的化部分を標識するための方法であって、該方法は、
（ａ）Ｒ2またはＲ3は、ＱまたはＱへの共有結合を含むリンカーである請求項３２に記載の化合物と、式Ｍ−Ｌ1b−Ｇ′の化合物とを混合し、それによって、ＧおよびＧ′の反応によって少なくとも１個の共有結合を形成する工程；ならびに
（ｂ）工程（Ａ）の生成物と該分析物分子または標的化部分とを反応させ、それによって、工程（Ａ）の生成物および該分析物分子または標的化部分の結合体を形成する工程、を包含し、ここで：
Ｍは、２個またはこれより多くの炭素−炭素二重結合および少なくとも１の共役度を含む部分であり；
Ｌ1bは、選択肢的なアルキレン、ヘテロアルキレンまたはヘテロ原子リンカーであり；そして
Ｇ′は、Ｇに対する相補的反応性基である、
方法。
【請求項３５】
請求項１に記載の化合物を調製するための方法であって、該方法は、請求項３２に記載の化合物と式Ｍ−Ｌ1b−Ｇ′の化合物とを混合し、それによって、ＧおよびＧ′の反応によって少なくとも１個の共有結合を形成する工程を包含し、ここで：
Ｍは、２個またはこれより多くの炭素−炭素二重結合および少なくとも１の共役度を含む部分であり；
Ｌ1bは、選択肢的なアルキレン、ヘテロアルキレンまたはヘテロ原子リンカーであり；そして
Ｇ′は、Ｇに対する相補的反応性基である、
方法。
【請求項３６】
Ｙ個の蛍光部分Ｍを含む蛍光化合物であって、ここで該蛍光化合物は、所定の波長の紫外線での励起の際に、同じ波長の紫外線での励起の際の１個のＭ部分のピーク蛍光発光よりＹ倍の少なくとも８５％のピーク蛍光発光を有し、ここでＹは、２またはこれより大きな整数である、蛍光化合物。
【手続補正２】
【補正対象書類名】明細書
【補正対象項目名】０４６３
【補正方法】変更
【補正の内容】
【０４６３】
前述から、本発明の具体的実施形態が例証目的のために本明細書で記載されてきたものの、本発明の趣旨および範囲から逸脱することなく、種々の改変がなされ得ることは認識される。よって、本発明は、添付の特許請求の範囲による場合を除いて限定されない。
本発明のまた別の態様は、以下のとおりであってもよい。
〔１〕
以下の構造（Ｉ）：
【化８２】
2019516821.tif 000010
を有する化合物、またはその立体異性体、塩もしくは互変異性体であって、ここで：
Ｍは、各存在において、独立して、２個またはこれより多くの炭素−炭素二重結合および少なくとも１の共役度を含む部分であり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ2およびＬ3は、各存在において、独立して、選択肢的なアルキレン、アルケニレン、アルキニレン、ヘテロアルキレン、ヘテロアルケニレン、ヘテロアルキニレンもしくはヘテロ原子リンカーであり；
Ｌ4は、各存在において、独立して、長さが３原子より大きいヘテロアルキレン、ヘテロアルケニレンまたはヘテロアルキニレンリンカーであり、ここで該ヘテロアルキレン、ヘテロアルケニレンおよびヘテロアルキニレンリンカー中のヘテロ原子は、Ｏ、ＮおよびＳから選択され；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、Ｑ、もしくはその保護された形態、またはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護された形態を含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍは、各存在において、独立して、０またはこれより大きな整数であるが、ただしｍの少なくとも１個の存在は、１またはこれより大きな整数であり；そして
ｎは、１またはこれより大きな整数である、
化合物、またはその立体異性体、塩もしくは互変異性体。
〔２〕
Ｌ4は、各存在において、独立して、ヘテロアルキレンリンカーである、前記〔１〕に記載の化合物。
〔３〕
Ｌ4は、各存在において、独立して、アルキレンオキシドリンカーである、前記〔２〕に記載の化合物。
〔４〕
Ｌ4は、ポリエチレンオキシドであり、前記化合物は、以下の構造（ＩＡ）：
【化８３】
2019516821.tif 000011
を有し、ここでｚは、２〜１００の整数である、前記〔１〕に記載の化合物。
〔５〕
ｚは、３〜６の整数である、前記〔４〕に記載の化合物。
〔６〕
Ｌ1は、各存在において、２個の相補的反応性基の反応によって形成できる官能基を含むリンカーである、前記〔１〕に記載の化合物。
〔７〕
Ｌ1の少なくとも１個の存在に関して、前記官能基は、アルデヒド、オキシム、ヒドラゾン、アルキン、アミン、アジド、アシルアジド、アシルハライド、ニトリル、ニトロン、スルフヒドリル、ジスルフィド、スルホニルハライド、イソチオシアネート、イミドエステル、活性化エステル、ケトン、α，β−不飽和カルボニル、アルケン、マレイミド、α−ハロイミド、エポキシド、アジリジン、テトラジン、テトラゾール、ホスフィン、ビオチンまたはチイラン官能基と、相補的反応性基との反応によって形成できる、前記〔６〕に記載の化合物。
〔８〕
Ｌ1の少なくとも１個の存在に関して、前記官能基は、アルキンおよびアジドの反応によって形成できる、前記〔６〕に記載の化合物。
〔９〕
Ｌ1の少なくとも１個の存在に関して、前記官能基は、アルケン、エステル、アミド、チオエステル、チオウレア、ジスルフィド、カルボン酸、複素環式またはヘテロアリール基を含む、前記〔６〕に記載の化合物。
〔１０〕
Ｌ1の少なくとも１個の存在に関して、Ｌ1は、トリアゾリル官能基を含むリンカーである、前記〔６〕に記載の化合物。
〔１１〕
Ｌ1の少なくとも１個の存在に関して、Ｌ1−Ｍは、以下の構造：
【化８４】
2019516821.tif 000012
を有し、ここでＬ1aおよびＬ1bは、各々独立して、選択肢的なリンカーである、前記〔６〕に記載の化合物。
〔１２〕
Ｌ1の少なくとも１個の存在に関して、Ｌ1−Ｍは、以下の構造：
【化８５】
2019516821.tif 000013
を有し、ここでＬ1aおよびＬ1bは、各々独立して、選択肢的なリンカーである、前記〔６〕に記載の化合物。
〔１３〕
Ｌ1aもしくはＬ1b、または両方は、非存在である、前記〔１１〕に記載の化合物。
〔１４〕
Ｌ1aもしくはＬ1b、または両方は、存在する、前記〔１１〕に記載の化合物。
〔１５〕
Ｌ1aおよびＬ1bは、存在する場合、各々独立して、アルキレンまたはヘテロアルキレンである、前記〔１４〕に記載の化合物。
〔１６〕
Ｌ1aおよびＬ1bは、存在する場合、独立して、以下の構造：
【化８６】
2019516821.tif 000014
のうちの１つを有する、前記〔１４〕に記載の化合物。
〔１７〕
Ｌ1は、各存在において、独立して、選択肢的なアルキレンまたはヘテロアルキレンリンカーである、前記〔１〕に記載の化合物。
〔１８〕
Ｌ2およびＬ3は、各存在において、独立して、Ｃ1−Ｃ6アルキレン、Ｃ2−Ｃ6アルケニレンまたはＣ2−Ｃ6アルキニレンである、前記〔１〕に記載の化合物。
〔１９〕
前記化合物は、以下の構造（ＩＢ）：
【化８７】
2019516821.tif 000015
を有し、ここで：
ｘ1、ｘ2、ｘ3およびｘ4は、各存在において、独立して、０〜６の整数であり、そして
ｚは、２〜１００の整数である、
前記〔１〕に記載の化合物。
〔２０〕
ｘ1、ｘ2、ｘ3またはｘ4のうちの少なくとも１個の存在は、１である、前記〔１９〕に記載の化合物。
〔２１〕
ｘ1、ｘ2、ｘ3およびｘ4は、各存在において、各々１である、前記〔１９〕に記載の化合物。
〔２２〕
Ｌ1は、各存在において、独立して、トリアゾリル官能基を含む、前記〔１９〕に記載の化合物。
〔２３〕
Ｌ1は、各存在において、独立して、選択肢的なアルキレンまたはヘテロアルキレンリンカーである、前記〔１９〕に記載の化合物。
〔２４〕
Ｒ4は、各存在において、独立して、ＯＨ、Ｏ-またはＯＲdである、前記〔１〕に記載の化合物。
〔２５〕
Ｒ5は、各存在において、オキソである、前記〔１〕に記載の化合物。
〔２６〕
Ｒ1は、各存在において、Ｈである、前記〔１〕に記載の化合物。
〔２７〕
Ｒ2およびＲ3は、各々独立して、ＯＨまたは−ＯＰ（＝Ｒa）（Ｒb）Ｒcである、前記〔１〕に記載の化合物。
〔２８〕
Ｒ2またはＲ3のうちの一方は、ＯＨまたは−ＯＰ（＝Ｒa）（Ｒb）Ｒcであり、Ｒ2またはＲ3のうちの他方は、ＱまたはＱへの共有結合を含むリンカーである、前記〔１〕に記載の化合物。
〔２９〕
Ｒ2およびＲ3は、各々独立して、−ＯＰ（＝Ｒa）（Ｒb）Ｒcである、前記〔１〕に記載の化合物。
〔３０〕
Ｒcは、ＯＬ’である、前記〔２９〕に記載の化合物。
〔３１〕
Ｌ’は、Ｑ、標的化部分、分析物分子、固体支持体、固体支持体残基、ヌクレオシドまたは構造（Ｉ）のさらなる化合物への、ヘテロアルキレンリンカーである、前記〔３０〕に記載の化合物。
〔３２〕
Ｌ’は、アルキレンオキシドもしくはホスホジエステル部分、またはこれらの組み合わせを含む、前記〔３１〕に記載の化合物。
〔３３〕
Ｌ’は、以下の構造：
【化８８】
2019516821.tif 000016
を有し、ここで：
ｍ”およびｎ”は、独立して、１〜１０の整数であり；
Ｒeは、Ｈ、電子対または対イオンであり；
Ｌ”は、Ｒeもしくは直接結合であるか、またはＱ、標的化部分、分析物分子、固体支持体、固体支持体残基、ヌクレオシドもしくは構造（Ｉ）のさらなる化合物への、連結である、
前記〔３２〕に記載の化合物。
〔３４〕
前記標的化部分は、抗体または細胞表面レセプターアンタゴニストである、前記〔３１〕に記載の化合物。
〔３５〕
Ｒ2またはＲ3は、以下の構造：
【化８９】
2019516821.tif 000017
【化９０】
2019516821.tif 000018
のうちの１つを有する、前記〔２９〕に記載の化合物。
〔３６〕
Ｒ2またはＲ3は、以下の構造：
【化９１】
2019516821.tif 000019
を有する、前記〔２９〕に記載の化合物。
〔３７〕
Ｑは、求核性反応性基、求電子性反応性基または環化付加反応性基を含む、前記〔１〕に記載の化合物。
〔３８〕
Ｑは、スルフヒドリル、ジスルフィド、活性化エステル、イソチオシアネート、アジド、アルキン、アルケン、ジエン、ジエノフィル、酸ハライド、スルホニルハライド、ホスフィン、α−ハロアミド、ビオチン、アミノまたはマレイミド官能基を含む、前記〔３７〕に記載の化合物。
〔３９〕
前記活性化エステルは、Ｎ−スクシンイミドエステル、イミドエステルまたはポリフルオロフェニルエステルである、前記〔３８〕に記載の化合物。
〔４０〕
前記アルキンは、アルキルアジドまたはアシルアジドである、前記〔３８〕に記載の化合物。
〔４１〕
Ｑは、表１から選択される部分を含む、前記〔１〕に記載の化合物。
〔４２〕
Ｒ2またはＲ3のうちの一方は、ＯＨまたは−ＯＰ（＝Ｒa）（Ｒb）Ｒcであり、Ｒ2またはＲ3のうちの他方は、分析物分子への共有結合を含むリンカー、標的化部分への共有結合を含むリンカー、または固体支持体への共有結合を含むリンカーである、前記〔１〕に記載の化合物。
〔４３〕
前記分析物分子は、核酸、アミノ酸またはこれらのポリマーである、前記〔４２〕に記載の化合物。
〔４４〕
前記分析物分子は、酵素、レセプター、レセプターリガンド、抗体、糖タンパク質、アプタマーまたはプリオンである、前記〔４２〕に記載の化合物。
〔４５〕
前記標的化部分は、抗体または細胞表面レセプターアンタゴニストである、前記〔４２〕に記載の化合物。
〔４６〕
前記固体支持体は、ポリマービーズまたは非ポリマービーズである、前記〔４２〕に記載の化合物。
〔４７〕
ｍは、各存在において、独立して、１〜１０の整数である、前記〔１〕に記載の化合物。
〔４８〕
ｍは、各存在において、独立して、１〜５の整数である、前記〔１〕に記載の化合物。
〔４９〕
ｎは、１〜１００の整数である、前記〔１〕に記載の化合物。
〔５０〕
ｎは、１〜１０の整数である、前記〔１〕に記載の化合物。
〔５１〕
Ｍは、各存在において、独立して、４個もしくはこれより多くのアリールもしくはヘテロアリール環、またはこれらの組み合わせを含む部分である、前記〔１〕に記載の化合物。
〔５２〕
Ｍは、各存在において、独立して、蛍光性または有色である、前記〔１〕に記載の化合物。
〔５３〕
Ｍは、蛍光性である、前記〔５２〕に記載の化合物。
〔５４〕
Ｍは、各存在において、独立して、少なくとも４個の縮合環を含む縮合多環式アリール部分を含む、前記〔１〕に記載の化合物。
〔５５〕
Ｍは、各存在において、独立して、ジメチルアミノスチルベン、キナクリドン、フルオロフェニル−ジメチル−ＢＯＤＩＰＹ、ｈｉｓ−フルオロフェニル−ＢＯＤＩＰＹ、アクリジン、テリレン、セキシフェニル、ポルフィリン、ベンゾピレン、（フルオロフェニル−ジメチル−ジフルオロボラ−ジアザ−インダセン）フェニル、（ビス−フルオロフェニル−ジフルオロボラ−ジアザ−インダセン）フェニル、クアテルフェニル、ビ−ベンゾチアゾール、ター−ベンゾチアゾール、ビ−ナフチル、ビ−アントラシル、スクアライン、スクアリリウム、９，１０−エチニルアントラセンまたはター−ナフチル部分である、前記〔１〕に記載の化合物。
〔５６〕
Ｍは、各存在において、独立して、ｐ−ターフェニル、ペリレン、アゾベンゼン、フェナジン、フェナントロリン、アクリジン、チオキサントレン、クリセン、ルブレン、コロネン、シアニン、ペリレンイミド、もしくはペリレンアミドまたはその誘導体である、前記〔１〕に記載の化合物。
〔５７〕
Ｍは、各存在において、独立して、クマリン染料、レゾルフィン染料、ジピロメテンボロンジフルオリド染料、ルテニウムビピリジル染料、エネルギー移動染料、チアゾールオレンジ染料、ポリメチンまたはＮ−アリール−１，８−ナフタルイミド染料である、前記〔１〕に記載の化合物。
〔５８〕
Ｍは、各存在において、独立して、ピレン、ペリレン、ペリレンモノイミドもしくは６−ＦＡＭまたはその誘導体である、前記〔１〕に記載の化合物。
〔５９〕
Ｍは、各存在において、独立して、以下の構造：
【化９２】
2019516821.tif 000020
のうちの１つを有する、前記〔１〕に記載の化合物。
〔６０〕
表２から選択される化合物。
〔６１〕
サンプルを染色するための方法であって、該方法は、該サンプルに、前記〔１〕に記載の化合物を、該サンプルが適切な波長で照射される場合に光学的応答を生じるために十分な量で添加する工程を包含する方法。
〔６２〕
前記光学的応答は、蛍光応答である、前記〔６１〕に記載の方法。
〔６３〕
前記サンプルは、細胞を含む、前記〔６１〕に記載の方法。
〔６４〕
前記細胞をフローサイトメトリーによって観察する工程をさらに包含する、前記〔６３〕に記載の方法。
〔６５〕
前記蛍光応答を、検出可能に異なる光学的特性を有する第２の発蛍光団の蛍光応答から区別する工程をさらに包含する、前記〔６２〕に記載の方法。
〔６６〕
分析物分子を視覚的に検出するための方法であって、該方法は、
（ａ）Ｒ2またはＲ3は、該分析物分子への共有結合を含むリンカーである前記〔１〕の化合物を提供する工程；および
（ｂ）該化合物をその視覚的特性によって検出する工程、
を包含する方法。
〔６７〕
分析物分子を視覚的に検出するための方法であって、該方法は、
（ａ）Ｒ2またはＲ3は、ＱまたはＱへの共有結合を含むリンカーである前記〔１〕に記載の化合物と、該分析物分子とを混合する工程；
（ｂ）該化合物および該分析物分子の結合体を形成する工程；ならびに
（ｃ）該結合体をその視覚的特性によって検出する工程、
を包含する方法。
〔６８〕
分析物を視覚的に検出するための方法であって、該方法は、
（ａ）Ｒ2またはＲ3は、該分析物分子に対する特異性を有する標的化部分への共有結合を含むリンカーを含む前記〔１〕に記載の化合物を提供する工程；
（ｂ）該化合物および該分析物を混合し、それによって、該標的化部分および該分析物を会合させる工程；ならびに
（ｃ）該化合物をその視覚的特性によって検出する工程、
を包含する方法。
〔６９〕
前記〔１〕に記載の化合物および１もしくはこれより多くの分析物分子を含む、組成物。
〔７０〕
前記１もしくはこれより多くの分析物分子の検出のための分析方法における前記〔６９〕に記載の組成物の使用。
〔７１〕
以下の構造（ＩＩ）：
【化９３】
2019516821.tif 000021
を有する化合物、またはその立体異性体、塩もしくは互変異性体であって、ここで：
Ｇは、各存在において、独立して、相補的反応性基と共有結合を形成できる反応性基またはその保護されたアナログを含む部分であり；
Ｌ1a、Ｌ2およびＬ3は、各存在において、独立して、選択肢的なアルキレン、アルケニレン、アルキニレン、ヘテロアルキレン、ヘテロアルケニレン、ヘテロアルキニレンもしくはヘテロ原子リンカーであり；
Ｌ4は、各存在において、独立して、長さが３原子より大きいヘテロアルキレン、ヘテロアルケニレンまたはヘテロアルキニレンリンカーであり、ここで該ヘテロアルキレン、ヘテロアルケニレンおよびヘテロアルキニレンリンカー中のヘテロ原子は、Ｏ、ＮおよびＳから選択され；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体もしくは相補的反応性基Ｑ′と共有結合を形成できる反応性基またはその保護されたアナログを含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（ＩＩ）のさらなる化合物への共有結合を含むリンカーであり；
ｍは、各存在において、独立して、０またはこれより大きな整数であるが、ただしｍの少なくとも１個の存在は、１またはこれより大きな整数であり；そして
ｎは、１またはこれより大きな整数である、
化合物、またはその立体異性体、塩もしくは互変異性体。
〔７２〕
Ｇは、各存在において、独立して、アルデヒド、オキシム、ヒドラゾン、アルキン、アミン、アジド、アシルアジド、アシルハライド、ニトリル、ニトロン、スルフヒドリル、ジスルフィド、スルホニルハライド、イソチオシアネート、イミドエステル、活性化エステル、ケトン、α，β−不飽和カルボニル、アルケン、マレイミド、α−ハロイミド、エポキシド、アジリジン、テトラジン、テトラゾール、ホスフィン、ビオチンまたはチイラン官能基を含む、前記〔７１〕に記載の化合物。
〔７３〕
Ｇは、各存在において、独立して、アルキンまたはアジド基を含む、前記〔７１〕に記載の化合物。
〔７４〕
Ｇは、各存在において、独立して、前記相補的反応性基との反応に際して、アルケン、エステル、アミド、チオエステル、ジスルフィド、カルボン酸基、複素環式またはヘテロアリール基を含む官能基を形成できる反応性基を含む、前記〔７１〕に記載の化合物。
〔７５〕
前記ヘテロアリールは、トリアゾリルである、前記〔７４〕に記載の化合物。
〔７６〕
Ｌ2およびＬ3は、各存在において、独立して、Ｃ1−Ｃ6アルキレン、Ｃ2−Ｃ6アルケニレンまたはＣ2−Ｃ6アルキニレンである、前記〔７１〕に記載の化合物。
〔７７〕
前記化合物は、以下の構造（ＩＩＡ）：
【化９４】
2019516821.tif 000022
を有し、ここで：
ｘ1、ｘ2、ｘ3およびｘ4は、各存在において、独立して、０〜６の整数である、
前記〔７１〕に記載の化合物。
〔７８〕
各Ｌ1aは、非存在である、前記〔７１〕に記載の化合物。
〔７９〕
各Ｌ1aは、存在する、前記〔７１〕に記載の化合物。
〔８０〕
Ｌ1aは、各存在において、独立して、ヘテロアルキレンである、前記〔７９〕に記載の化合物。
〔８１〕
Ｌ1aは、以下の構造：
【化９５】
2019516821.tif 000023
を有する、前記〔８０〕に記載の化合物。
〔８２〕
Ｇは、各存在において、独立して、
【化９６】
2019516821.tif 000024
である、前記〔８１〕に記載の化合物。
〔８３〕
ｘ1、ｘ2、ｘ3またはｘ4のうちの少なくとも１個の存在は、１である、前記〔７７〕に記載の化合物。
〔８４〕
ｘ1、ｘ2、ｘ3およびｘ4は、各存在において、各々１である、前記〔７７〕に記載の化合物。
〔８５〕
Ｌ4は、前記〔２〕〜〔５〕のいずれか１項に定義されるとおりである、前記〔７１〕に記載の化合物。
〔８６〕
Ｒ4は、各存在において、独立して、ＯＨ、Ｏ-またはＯＲdである、前記〔７１〕に記載の化合物。
〔８７〕
Ｒ5は、各存在において、オキソである、前記〔７１〕に記載の化合物。
〔８８〕
Ｒ1は、Ｈである、前記〔７１〕に記載の化合物。
〔８９〕
Ｒ2およびＲ3は、各々独立して、ＯＨまたは−ＯＰ（＝Ｒa）（Ｒb）Ｒcである、前記〔７１〕に記載の化合物。
〔９０〕
Ｒ2またはＲ3のうちの一方は、ＯＨまたは−ＯＰ（＝Ｒa）（Ｒb）Ｒcであり、Ｒ2またはＲ3のうちの他方は、ＱまたはＱへの共有結合を含むリンカーである、前記〔７１〕に記載の化合物。
〔９１〕
Ｒ2およびＲ3は、各々独立して、−ＯＰ（＝Ｒa）（Ｒb）Ｒcである、前記〔７１〕に記載の化合物。
〔９２〕
Ｒcは、ＯＬ’である、前記〔９１〕に記載の化合物。
〔９３〕
Ｌ’は、Ｑ、標的化部分、分析物分子、固体支持体、固体支持体残基、ヌクレオシドまたは構造（Ｉ）のさらなる化合物、に対するヘテロアルキレンリンカーである、前記〔９２〕に記載の化合物。
〔９４〕
Ｌ’は、アルキレンオキシドもしくはホスホジエステル部分、またはこれらの組み合わせを含む、前記〔９３〕に記載の化合物。
〔９５〕
Ｌ’は、以下の構造：
【化９７】
2019516821.tif 000025
を有し、ここで：
ｍ”およびｎ”は、独立して、１〜１０の整数であり；
Ｒeは、Ｈ、電子対または対イオンであり；
Ｌ”は、Ｒeもしくは直接結合であるか、またはＱ、標的化部分、分析物分子、固体支持体、固体支持体残基、ヌクレオシドもしくは構造（Ｉ）のさらなる化合物への、連結である、前記〔９４〕に記載の化合物。
〔９６〕
前記標的化部分は、抗体または細胞表面レセプターアンタゴニストである、前記〔９１〕に記載の化合物。
〔９７〕
Ｒ2またはＲ3は、以下の構造：
【化９８】
2019516821.tif 000026
【化９９】
2019516821.tif 000027
のうちの１つを有する、前記〔９１〕に記載の化合物。
〔９８〕
Ｒ2またはＲ3は、以下の構造：
【化１００】
2019516821.tif 000028
を有する、前記〔９１〕に記載の化合物。
〔９９〕
Ｑは、求核性反応性基、求電子性反応性基または環化付加反応性基を含む、前記〔７１〕に記載の化合物。
〔１００〕
Ｑは、スルフヒドリル、ジスルフィド、活性化エステル、イソチオシアネート、アジド、アルキン、アルケン、ジエン、ジエノフィル、酸ハライド、スルホニルハライド、ホスフィン、α−ハロアミド、ビオチン、アミノまたはマレイミド官能基を含む、前記〔９９〕に記載の化合物。
〔１０１〕
前記活性化エステルは、Ｎ−スクシンイミドエステル、イミドエステルまたはポリフルオロフェニルエステルである、前記〔１００〕に記載の化合物。
〔１０２〕
前記アルキンは、アルキルアジドまたはアシルアジドである、前記〔１００〕に記載の化合物。
〔１０３〕
Ｑは、表１から選択される部分である、前記〔７１〕に記載の化合物。
〔１０４〕
Ｒ2またはＲ3のうちの一方は、ＯＨまたは−ＯＰ（＝Ｒa）（Ｒb）Ｒcであり、Ｒ2またはＲ3のうちの他方は、分析物分子への共有結合を含むリンカー、標的化部分への共有結合を含むリンカー、または固体支持体への共有結合を含むリンカーである、前記〔７１〕に記載の化合物。
〔１０５〕
前記分析物分子は、核酸、アミノ酸またはこれらのポリマーである、前記〔１０４〕に記載の化合物。
〔１０６〕
前記分析物分子は、酵素、レセプター、レセプターリガンド、抗体、糖タンパク質、アプタマーまたはプリオンである、前記〔１０４〕に記載の化合物。
〔１０７〕
前記標的化部分は、抗体または細胞表面レセプターアンタゴニストである、前記〔１０４〕に記載の化合物。
〔１０８〕
前記固体支持体は、ポリマービーズまたは非ポリマービーズである、前記〔１０４〕に記載の化合物。
〔１０９〕
ｍは、各存在において、独立して、１〜１０の整数である、前記〔７１〕に記載の化合物。
〔１１０〕
ｍは、各存在において、独立して、１〜５の整数である、前記〔７１〕に記載の化合物。
〔１１１〕
ｎは、１〜１００の整数である、前記〔７１〕に記載の化合物。
〔１１２〕
ｎは、１〜１０の整数である、前記〔７１〕に記載の化合物。
〔１１３〕
表３から選択される化合物。
〔１１４〕
分析物分子または標的化部分を標識するための方法であって、該方法は、
（ａ）Ｒ2またはＲ3は、ＱまたはＱへの共有結合を含むリンカーである前記〔７１〕に記載の化合物と、該分析物分子または該標的化部分とを混合する工程；
（ｂ）該化合物および該分析物分子または該標的化部分の結合体を形成する工程；ならびに
（ｃ）該結合体と式Ｍ−Ｌ1b−Ｇ′の化合物とを反応させて、それによって、少なくとも１個のＧおよび少なくとも１個のＧ′の反応によって少なくとも１個の共有結合を形成する工程、
を包含し、ここで：
Ｍは、２個またはこれより多くの炭素−炭素二重結合および少なくとも１の共役度を含む部分であり；
Ｌ1bは、選択肢的なアルキレン、ヘテロアルキレンまたはヘテロ原子リンカーであり；そして
Ｇ′は、Ｇに対する相補的反応性基である、
方法。
〔１１５〕
分析物分子または標的化部分を標識するための方法であって、該方法は、
（ａ）Ｒ2またはＲ3は、ＱまたはＱへの共有結合を含むリンカーである前記〔７１〕に記載の化合物と、式Ｍ−Ｌ1b−Ｇ′の化合物とを混合し、それによって、ＧおよびＧ′の反応によって少なくとも１個の共有結合を形成する工程；ならびに
（ｂ）工程（Ａ）の生成物と該分析物分子または標的化部分とを反応させ、それによって、工程（Ａ）の生成物および該分析物分子または標的化部分の結合体を形成する工程、を包含し、ここで：
Ｍは、２個またはこれより多くの炭素−炭素二重結合および少なくとも１の共役度を含む部分であり；
Ｌ1bは、選択肢的なアルキレン、ヘテロアルキレンまたはヘテロ原子リンカーであり；そして
Ｇ′は、Ｇに対する相補的反応性基である、
方法。
〔１１６〕
前記〔１〕に記載の化合物を調製するための方法であって、該方法は、前記〔７１〕に記載の化合物と式Ｍ−Ｌ1b−Ｇ′の化合物とを混合し、それによって、ＧおよびＧ′の反応によって少なくとも１個の共有結合を形成する工程を包含し、ここで：
Ｍは、２個またはこれより多くの炭素−炭素二重結合および少なくとも１の共役度を含む部分であり；
Ｌ1bは、選択肢的なアルキレン、ヘテロアルキレンまたはヘテロ原子リンカーであり；そして
Ｇ′は、Ｇに対する相補的反応性基である、
方法。
〔１１７〕
Ｙ個の蛍光部分Ｍを含む蛍光化合物であって、ここで該蛍光化合物は、所定の波長の紫外線での励起の際に、同じ波長の紫外線での励起の際の１個のＭ部分のピーク蛍光発光よりＹ倍の少なくとも８５％のピーク蛍光発光を有し、ここでＹは、２またはこれより大きな整数である、蛍光化合物。
〔１１８〕
１個のＭ部分のピーク蛍光発光よりＹ倍の少なくとも９０％のピーク蛍光発光を有する、前記〔１１７〕に記載の蛍光化合物。
〔１１９〕
１個のＭ部分のピーク蛍光発光よりＹ倍の少なくとも９５％のピーク蛍光発光を有する、前記〔１１７〕に記載の蛍光化合物。
〔１２０〕
１個のＭ部分のピーク蛍光発光よりＹ倍の少なくとも９７％のピーク蛍光発光を有する、前記〔１１７〕に記載の蛍光化合物。
〔１２１〕
１個のＭ部分のピーク蛍光発光よりＹ倍の少なくとも９９％のピーク蛍光発光を有する、前記〔１１７〕に記載の蛍光化合物。
〔１２２〕
Ｙは、２〜１００の整数である、前記〔１１７〕に記載の蛍光化合物。
〔１２３〕
Ｙは、２〜１０の整数である、前記〔１１７〕に記載の蛍光化合物。
〔１２４〕
前記Ｙ個のＭ部分は、独立して、以下の構造：
【化１０１】
2019516821.tif 000029
のうちの１つを有し、ここで
【化１０２】
2019516821.tif 000030
は、前記蛍光化合物への結合点を示す、前記〔１１７〕に記載の蛍光化合物。
〔１２５〕
前記１個のＭ部分は、独立して、以下の構造：
【化１０３】
2019516821.tif 000031
のうちの１つを有する、前記〔１１７〕に記載の蛍光化合物。
〔１２６〕
前記蛍光化合物は、独立して、以下の構造：
【化１０４】
2019516821.tif 000032
のうちの１つを有するＹ個のＭ部分を含み、ここで
【化１０５】
2019516821.tif 000033
は、該蛍光化合物への結合点を示し、そして前記１個のＭ部分は、以下の構造：
【化１０６】
2019516821.tif 000034
を有する、前記〔１１７〕に記載の蛍光化合物。
〔１２７〕
前記ピーク蛍光発光は、約５００〜約５５０ｎｍの範囲に及ぶ波長にある、前記〔１１７〕に記載の蛍光化合物。
〔１２８〕
前記蛍光化合物は、少なくとも１個のエチレンオキシド部分を含む、前記〔１１７〕に記載の蛍光化合物。
〔１２９〕
前記〔１１７〕に記載の蛍光化合物および分析物を含む、組成物。